(57)【要約】【課題】例えば写真や額、メニュー、本、絵画類などの様々な物品を展示するのに適した展示台について、平らな面の上でなくとも安定して展示が行えるとともに、展示したときの印象を一新できるようにすること。【解決手段】物品２を立てた状態に展示すべく物品２の下端を前方へ位置ずれ防止可能に支持する下端支持部５と、物品２の背面を支える背面支持部８とを有した展示台１であって、上記下端支持部５を、２本の棒状体３ａで構成され下端側ほど左右に開く主脚部材３の前面に設け、該主脚部材３の前面を、上記背面支持部８に設定するとともに、上記主脚部材３に、主脚部材３を斜めに支える支持脚部材４を取り付けた展示台１。【選択図】　　図３
2004081423.tif 000002
【特許請求の範囲】
【請求項１】
物品を立てた状態に展示すべく物品の下端を前方へ位置ずれ防止可能に支持する下端支持部と、物品の背面を支える背面支持部とを有した展示台であって、
上記下端支持部を、下端側ほど左右に開く主脚部材の前面に設け、
該主脚部材の前面を、上記背面支持部に設定するとともに、
上記主脚部材に、主脚部材を斜めに支える支持脚部材を取り付けた
展示台。
【請求項２】
前記主脚部材を２本の棒状体で構成するとともに、
前記支持脚部材の取り付けを、上記主脚部材の上端部間に行い、
支持脚部材の上端部には、左右に貫通する回動孔を形成し、
上記主脚部材を構成する棒状体の対向面には、上記回動孔に対して左右両側から同時に挿入可能な半割状の回動軸部を形成し、
これら回動軸部の先端部には、回動孔に差し込んだときに、相互に係合する抜け止め爪部を形成した
請求項１に記載の展示台。
【請求項３】
前記支持脚部材の両側面における回動孔の周囲または前記主脚部材を構成する棒状体の対向面における回動軸部の周囲には、回動孔または回動軸部と同心の円弧を描く規制溝を形成し、
前記主脚部材を構成する棒状体の対向面における上記規制溝対応位置または前記支持脚部材の両側面における回動孔の周囲には、支持脚部材の開閉時に上記規制溝内を相対摺動し支持脚部材が所定角度以上開くのを阻止する規制突部を形成した
請求項２に記載の展示台。
【請求項４】
前記下端支持部を前記主脚支持部材の高さ方向の中間位置に設けた
請求項１から請求項３のうちのいずれか一項に記載の展示台。
【発明の詳細な説明】
【０００１】
【発明の属する技術分野】
この発明は、例えば写真や額、メニュー、本、絵葉書、絵画類などの様々な物品を展示するのに適した展示台に関する。
【０００２】
【従来の技術】
上述例のような物品を展示する展示台としては、登録実用新案第３０１１９８８号のようなものがあるが、物品の展示に際して接地するのは面または線であるので、平らな面の上でないと安定して展示が行えない。
【０００３】
また、これらをはじめほとんどの展示台は、面を這うような形態になるので、展示したときに設置面を覆ってしまい面を占有する印象が強い。
【０００４】
【発明が解決しようとする課題】
そこでこの発明は、平らな面の上でなくとも安定して展示が行えるとともに、展示したときの印象を一新できるような展示台の提供を主たる課題とする。
【０００５】
【課題を解決するための手段】
そのための手段は、物品を立てた状態に展示すべく物品の下端を前方へ位置ずれ防止可能に支持する下端支持部と、物品の背面を支える背面支持部とを有した展示台であって、上記下端支持部を、下端側ほど左右に開く主脚部材の前面に設け、該主脚部材の前面を、上記背面支持部に設定するとともに、上記主脚部材に、主脚部材を斜めに支える支持脚部材を取り付けた展示台であることを特徴とする。
【０００６】
物品の展示は、支持脚部材の下端部を主脚部材から後方へ離すように開いて、支持脚部材と主脚部材の下端を接地させてから、下端支持部に物品の下端を乗せればよい。物品の背面は、背面支持部に支えられて安定する。また、支持脚部材も主脚部材も、前後左右に離れた複数の点で支えるので安定する。
【０００７】
なお、前記主脚部材は２本の棒状体で構成するとともに、前記支持脚部材の取り付けを、上記主脚部材の上端部間に行い、支持脚部材の上端部には、左右に貫通する回動孔を形成し、上記主脚部材を構成する棒状体の対向面には、上記回動孔に対して左右両側から同時に挿入可能な半割状の回動軸部を形成し、これら回動軸部の先端部には、回動孔に差し込んだときに、相互に係合する抜け止め爪部を形成するとよい。
【０００８】
主脚部材を構成する２本の棒状体と支持脚部材の組み立ては、支持脚部材の回動孔に対して、棒状体の回動軸部を左右両側から差し込み、押し込むことで、回動軸部の抜け止め爪部同士が係合し、主脚部材と支持脚部材は、相対回動可能に一体化される。この一体化状態では、一体化のための構造が外部から見えず、すっきりとした外観が得られる。
【０００９】
また、前記支持脚部材の両側面における回動孔の周囲または前記主脚部材を構成する棒状体の対向面における回動軸部の周囲には、回動孔または回動軸部と同心の円弧を描く規制溝を形成し、前記主脚部材を構成する棒状体の対向面における上記規制溝対応位置または前記支持脚部材の両側面における回動孔の周囲には、支持脚部材の開閉時に上記規制溝内を相対摺動し支持脚部材が所定角度以上開くのを阻止する規制突部を形成するとよい。
【００１０】
支持脚部材の開閉（主脚部材と支持脚部材の相対回動）は、規制溝と規制突部で規制される。つまり、別途に規制のための手段、例えば鎖等を用いずとも所定角度以上に開かないので、展示状態の安定性を向上でき、扱いは便利であるとともに、外観上もすっきりとする。
【００１１】
さらに、前記下端支持部を前記主脚支持部材の高さ方向の中間位置に設けると、展示した物品の下側を空けることができるのでよい。
【００１２】
【発明の効果】
以上のようにこの発明によれば、接地は主脚部材と支持脚部材の下端で行われるので、すなわち前後左右に離れた複数の点で支持するので、設置面が平らではなくとも安定して接地できる。このため、使用範囲を広げることができるとともに、展示する物品の種類も増やすことができる。
【００１３】
また、主脚部材を２本の棒状体で構成してこれらの間に支持脚部材を挟む構造にするとともに、支持脚部材の上端部に回動孔を形成し、主脚部材を構成する上記棒状体の対向面には、回動孔に同時に挿入可能で抜け止め爪部を有した半割状の回動軸部を形成すると、支持脚部材の回動孔に対して、棒状体の回動軸部を左右両側から差し込むだけで、主脚部材と支持脚部材が相対回動可能に一体化される。このため、組み立て作業が極めて簡単であるとともに、他に部品が要らないのでコストを抑えることもできる。また一体化により、回動孔や回動軸部を隠蔽することができる。つまり、組み立てた状態では、一体化のための構造が外観上何も見えないので、すっきりとした外観が得られる。
【００１４】
さらに、前記支持脚部材の両側面と前記主脚部材を構成する棒状体の対向面との間に、規制溝と規制突部とによる回動規制構造を設けると、支持脚部材の開く角度を規制できる。このため、所定の安定した接地状態を得られる。また、展示時と非展示時の切換えは、支持脚部を開閉するだけでよいので、扱いは便利であるとともに、この場合も他に部品を必要としないので、組み立ての簡素化、コストの低減等の利点を有する上に、外観上もすっきりとした、良好なものとなる。
【００１５】
物品を支持する下端支持部を前記主脚支持部材の高さ方向の中間位置に設けると、展示した物品の下側が空くので、設置面を占有してしまう印象を和らげることができ、展示時の印象を一新できる。また、イーゼルのような外観が得られ、写真や額を展示するものとしてはこれまでにない意匠感を得られる。
【００１６】
【発明の実施の形態】
この発明の一実施の形態を、以下図面を用いて説明する。
図１は展示台１の折り畳み状態の正面図であり、この展示台１は、図２、図３に示したように脚を広げて立てて使用するもので、物品２は、その前面側に立てて展示する。
【００１７】
展示台１は、主脚部材３と、主脚部材３を支える支持脚部材４と、上記主脚部材３の前面に取り付けて物品２の下端を支持する下端支持部材５とで構成している。
【００１８】
主脚部材３は、角柱状の２本の棒状体３ａ，３ａからなり、これら棒状体３ａの上端部を互いに接近させ、上記支持脚部材４の上端部を挟み込んで相対回動可能に一体化する。２本の棒状体３ａは、直線状で、下端部を左右に開いて、全体として正面視逆Ｖ字形になるように配置する。このため、上端部の内側面に垂直に切り立って、上記支持脚部材４の上端部の両側面に当接する対向面６を形成している。
【００１９】
支持脚部材４も角柱状に形成され、上述の如く、主脚部材３の上端部に相対回動可能に取り付けられている。使用時に、後方へ開いて三脚状にすることで、安定して立つ。また支持脚部材４の上端部は、開いたときに主脚部材３の前面から大きく突出しないように面取りをして面取り面７を形成している。上記主脚部材３の上端部前面が、物品２を展示するときに物品の背面を支える背面支持部８である。物品２の高さが低いときには、主脚部材３の前面における上記背面支持部８より下の部位が背面支持部８となる。
【００２０】
そして、主脚部材３に対して一体化し相対回動可能にするため、主脚部材３の上端部と支持脚部材４の上端部との間には、図４、図５に示したような連結回動構造と、回動規制構造を形成している。
【００２１】
連結回動構造は、支持脚部材４の上端部に形成した左右方向に貫通する回動孔９と、主脚部材３の棒状体３ａの対向面に形成した回動軸部１０とで構成している。すなわち、上記回動軸部１０は、回動孔９に嵌合対応する大きさの円形段部１０ａと、この円形段部１０ａから水平方向に延びる回動軸本体部１０ｂと、この回動軸本体部１０ｂの先端の抜け止め爪部１０ｃとで構成する。上記回動軸本体部１０ｂは、回動孔９に左右から同時に挿入可能な半割状である。すなわち一方の棒状体３ａでは、円形のおよそ上半分、他方の棒状体では下半分に対応するというように、合わせて１本となるような形状に形成し、共にいっぱいに嵌めたときに、上記抜け止め爪部１０ｃが相互に係合し合い、抜け止めが可能となる長さに設定している（図４参照）。
【００２２】
また、前記回動規制構造は、支持脚部材４の上端部両側面に形成した規制溝１１と、主脚部材３を構成する棒状体３ａの対向面６に形成した規制突部１２とで構成する。すなわち、規制溝１１は、回動孔９の周囲に、回動孔９と同心の円弧を描くように形成している。図５に示したように、支持脚部材４の背面から形成し、前面に達しない位置まで形成する。そして、規制溝１１の中間部分を除く部位を若干深く形成し、回動動作時に節度となるように構成している。
【００２３】
規制突部１２は、主脚部材３を構成する棒状体３ａの対向面における上記規制溝１１対応位置であって、図５に示したように棒状体３ａを支持脚部材４に重ねた状態のときに、仮想線で示したように規制溝１１の背面がわに位置する部位に形成している。支持脚部材４を開くと、規制突部１２は規制溝１１内を相対摺動して、図６に示したように支持脚部材における規制溝１１の前面側に位置して、それよりも開かない状態となる。
【００２４】
規制突部１２と規制溝１１は、逆に、すなわち、支持脚部材４に規制突部１２を形成し、棒状体３ａに規制溝１１を形成するもよい。
【００２５】
上記下端支持部材５は、主脚部材３を構成すべく末広がり状に配置されたの２本の棒状体３ａの前面に跨るように取り付ける長い部材で、その断面は、側面視横Ｌ字形である。すなわち、先端縁に、物品２の下端が前方へずれて落ちるのを防止するずれ防止縁５ａを立ち上げており、後端面における上記棒状体３ａに対応する位置には、棒状体３ａに形成した前後方向に延びる貫通孔１３に対して差込み可能な差込突起５ｂを形成している。取り付け位置は、主脚部材３の高さ方向の中間部で、下端支持部材５が設置面から浮いた状態となるように設定している。
【００２６】
これら各部材は合成樹脂製で、中実に形成して、ある程度の重みを持たせている。
【００２７】
また、主脚部材３と支持脚部材４の下端には、ゴム製のキャップ１４を取り付けて、滑り止めと安定性向上を図っている。
【００２８】
このような各部材で構成する展示台１は、棒状体３ａの上端部の回動軸部１０を支持脚部材４の回動孔９に対して左右からはめ込み、その後下端支持部材５を主脚部材３の前面に取り付ければよく、組み立ては至って簡単である。
【００２９】
使用に際しては、支持脚部材４を後方へ開いて、三脚のように立てればよい。そして、写真や額、本、絵、メニュー等の物品は、その下端を下端支持部５に乗せて、背面支持部８に持たれかけさせて展示する。
【００３０】
このように三脚と同じように三点で支持するので、平らでない面に対しても安定して立てることができる。しかも、上述のような連結回動構造と回動規制構造を採用しているので、部品点数は少なくて、組立作業は容易であるとともに、取り扱いが容易で、支持脚部材４を開いたときの安定性が高い。
【００３１】
また、上述のように三脚のような形状であるとともに、下端支持部材５を高さ方向の中間に位置させているので、展示した物品の下に空間を形成できる。このため、これまでにないすっきりとした展示状態が得られる。また、写真立てなどとしては、これまでにないイーゼルのような外観が得られ、意匠的な価値を高めることもできる。
【００３２】
なお、以上の説明は、この発明の一実施の形態であって、この発明は、上述の構成のみに限定されるものではない。例えば、主脚部材３は、上述の例では２本の棒状体３ａで構成したが、その他複数本の棒状体で構成するもよく、また、上述のような逆Ｖ字形に一体形成するもよい。さらに各部材の材料には、木材を用いるもよく、用途、所望の外観等に応じて、適宜選択すればよい。
【００３３】
さらにまた、下端支持部は、主脚部材とは別部材ではなく、例えば線状の横Ｌ字形などに、予め一体に形成しておくもよい。
【図面の簡単な説明】
【図１】展示台の折り畳み状態の正面図
【図２】展示台の使用状態の側面図。
【図３】展示台の使用状態の正面図。
【図４】展示台の要部の分解図。
【図５】展示台の要部の構造説明図。
【図６】展示台の要部の構造説明図。
【符号の説明】
１…展示台
２…物品
３…主脚部材
３ａ…棒状体
４…支持脚部材
５…下端支持部材
６…対向面
８…背面支持部
９…回動孔
１０…回動軸部
１０ｃ…抜け止め爪部
１１…規制溝
１２…規制突部
【図１】
2004081423.tif 000003
【図２】
2004081423.tif 000004
【図３】
2004081423.tif 000005
【図４】
2004081423.tif 000006
【図５】
2004081423.tif 000007
【図６】
2004081423.tif 000008